(57)【要約】【課題】所定の音が届く領域内に電子楽器が存在することを条件に、その電子楽器に特定の音色の発音を行わせることができる技術を提供する。【解決手段】放音装置１０は、所定の制御データＣを重畳した音響信号が示す音を放音する。電子楽器２０において抽出部２０４は、収音部２０２が収音した音を示す音信号から、制御データＣを抽出する。発音制御部２０６は、抽出部２０４により制御データＣが抽出されている期間においては、制御データＣに基づき音源２０８の発音を制御する。【選択図】図２
2018159894.tif 000002
【特許請求の範囲】
【請求項１】
音源と、
収音した音を示す音信号から、所定の制御データを抽出する抽出部と、
前記抽出部により前記制御データが抽出されている期間においては、前記制御データに基づき前記音源の発音を制御する発音制御部と
を備える電子楽器。
【請求項２】
操作子と、
前記操作子に対して行われた操作に応じた処理を実行する実行部と
を備え、
前記実行部は、前記抽出部により前記制御データが抽出されている期間においては、特定の操作に応じた処理の実行を制限する
請求項１に記載の電子楽器。
【請求項３】
特定の音色の発音に用いられる波形データ、又は特定の音色を示す音色パラメータを記憶するメモリと、
前記抽出部により前記制御データが抽出されている期間においては、前記波形データ、又は前記音色パラメータの複製を制限する制限部と
を備える請求項１又は請求項２に記載の電子楽器。
【請求項４】
前記発音制御部は、前記抽出部により前記制御データが抽出されている期間においては、前記音源の特定の音色でない発音を制限する
請求項１から請求項３のいずれか１項に記載の電子楽器。
【請求項５】
収音した音を示す音信号から、所定の制御データを抽出し、
前記制御データが抽出されている期間においては、前記制御データに基づき電子楽器の音源の発音を制御する
電子楽器の制御方法。
【請求項６】
コンピュータに、
収音した音を示す音信号から、所定の制御データを抽出し、前記制御データが抽出されている期間においては、前記制御データに基づき前記音源の発音を制御する処理を実行させるためのプログラム。
【発明の詳細な説明】
【技術分野】
【０００１】
本発明は、電子楽器の発音の制御に関する。
【背景技術】
【０００２】
音響を用いて情報を提供する技術が、従来から提案されている。例えば特許文献１に記載された技術では、ユーザの携帯端末装置は、音響信号に変調された識別情報を復調し、復調した識別情報を識別情報解決サーバに送信して、アドレス情報を取得する。この携帯端末装置は、取得したアドレス情報を用いてコンテンツサーバにアクセスし、クーポン等のコンテンツをダウンロードする。
【先行技術文献】
【特許文献】
【０００３】
【特許文献１】特開２０１２−１５５７０６号公報
【発明の概要】
【発明が解決しようとする課題】
【０００４】
特許文献１に記載された技術は、識別情報を鍵として、携帯端末装置がその識別情報に対応するコンテンツをダウンロードできるようにするための技術である。携帯端末装置は、ダウンロード後においては、ユーザに指示されたタイミングで、コンテンツを読み出し、表示することができる。
【０００５】
本発明の目的の一つは、所定の音が届く領域内に電子楽器が存在することを条件に、その電子楽器に特定の音色の発音を行わせることができる技術を提供することである。
【課題を解決するための手段】
【０００６】
本発明の一実施形態によると、音源と、収音した音を示す音信号から、所定の制御データを抽出する抽出部と、前記抽出部により前記制御データが抽出されている期間においては、前記制御データに基づき前記音源の発音を制御する発音制御部とを備える電子楽器が提供される。
【０００７】
本発明の電子楽器において、操作子と、前記操作子に対して行われた操作に応じた処理を実行する実行部とを備え、前記実行部は、前記抽出部により前記制御データが抽出されている期間においては、特定の操作に応じた処理の実行を制限してもよい。
【０００８】
本発明の電子楽器において、特定の音色の発音に用いられる波形データ、又は特定の音色を示す音色パラメータを記憶するメモリと、前記抽出部により前記制御データが抽出されている期間においては、前記波形データ、又は前記音色パラメータの複製を制限する制限部とを備えてもよい。
【０００９】
本発明の電子楽器において、前記発音制御部は、前記抽出部により前記制御データが抽出されている期間においては、前記音源の特定の音色でない発音を制限してもよい。
【００１０】
本発明の電子楽器の制御方法は、収音した音を示す音信号から、所定の制御データを抽出し、前記制御データが抽出されている期間においては、前記制御データに基づき電子楽器の音源の発音を制御する。
【００１１】
本発明のプログラムは、コンピュータに、収音した音を示す音信号から、所定の制御データを抽出し、前記制御データが抽出されている期間においては、前記制御データに基づき前記音源の発音を制御する処理を実行させるためのプログラムである。
【発明の効果】
【００１２】
本発明によれば、所定の音が届く領域内に電子楽器が存在することを条件に、その電子楽器に特定の音色の発音を行わせることができる。
【図面の簡単な説明】
【００１３】
【図１】一実施形態におけるシステムの概略構成を示す図である。
【図２】同実施形態における放音装置、および電子楽器の具体的構成を例示するブロック図である。
【図３】同実施形態における電子楽器の発音に係る動作の一例を示すフローチャートである。
【図４】同実施形態における操作パネルの操作に応じた処理の実行に係る動作の一例を示すフローチャートである。
【図５】同実施形態における電子楽器のデータの複製に係る動作の一例を示すフローチャートである。
【図６】一変形例における電子楽器の発音に係る動作の一例を示すフローチャートである。
【図７】一変形例における放音装置、および電子楽器の具体的構成を例示するブロック図である。
【図８】同変形例における電子楽器のデータの複製に係る動作の一例を示すフローチャートである。
【図９】一変形例における制御データの構成の説明図である。
【発明を実施するための形態】
【００１４】
以下、本発明の一実施形態における鍵盤装置について、図面を参照しながら詳細に説明する。以下に示す実施形態は本発明の実施形態の一例であって、本発明はこれらの実施形態に限定して解釈されるものではない。
【００１５】
１．構成
図１は、一実施形態におけるシステム１の概略構成を示す図である。システム１は、放音装置１０と、電子楽器２０とを備える。放音装置１０は、この実施形態では演奏会場に設置された音響装置である。放音装置１０は、演奏者による演奏音や音声を入力し、ミキシングし、増幅して、演奏会場内に放音する。放音装置１０は、電子楽器２０を制御するための制御データを音信号に重畳（変調）し、この音信号が示す音を放音する。放音装置１０からの音が伝搬する領域（空間領域）を、「領域Ｓ」と表す。電子楽器２０は、この実施形態では電子ピアノで例示される電子鍵盤楽器である。電子楽器２０は、その前面に、演奏操作部２１６を備える。演奏操作部２１６は、複数の鍵２１６２の配列を含む。この実施形態では、白鍵および黒鍵を特に区別することなく、「鍵２１６２」と称する。電子楽器２０は、ユーザ（演奏者）によりいずれかの鍵２１６２が押下されると、その押鍵操作に応じた発音をする。
【００１６】
また、電子楽器２０は、ユーザによって操作される操作パネル２１８を備える。操作パネル２１８は、所定の処理の実行を指示するための操作子として、１つ又は複数の操作子２１８２を備える。操作パネル２１８は、いずれかの操作子２１８２に対する操作を受け付けると、操作された操作子２１８２に応じた操作信号を発生させる。
【００１７】
さらに、電子楽器２０には、電子楽器２０の動作を制御する制御部２００が設けられている。制御部２００は、例えば、ＣＰＵ（Central Processing Unit）で例示される演算処理装置、ならびにＲＯＭ（Read only memory）およびＲＡＭ（Random access memory）で例示されるメモリを搭載したプロセッサにより実装される。制御部２００は、例えば、電子楽器２０が領域Ｓ内に存在する場合に、放音装置１０からの音に基づいて制御データを復調し、復調した制御データに従った制御を行う。なお、図１には、放音装置１０、および電子楽器２０が１台ずつ示されているが、それぞれ複数台存在していてもよい。
【００１８】
図２は、この実施形態における放音装置１０、および電子楽器２０の具体的構成を例示するブロック図である。放音装置１０においてメモリ１０２は、制御データＣを記憶する。制御データＣは、電子楽器２０に対して所定の発音の制御を実行させるためのデータであり、この実施形態では、予め決められたパスワードを示す。メモリ１０２は、例えば不揮発性のメモリである。メモリ１０２は、例えば、磁気記録媒体（磁気テープ、磁気ディスク等）、光記録媒体、光磁気記録媒体、半導体メモリ等の記憶媒体である。
【００１９】
放音制御部１０４は、放音装置１０の放音を制御する。放音制御部１０４は、例えば、ＣＰＵで例示される演算処理装置、ならびにＲＯＭおよびＲＡＭで例示されるメモリを搭載したプロセッサにより実装される。インタフェース１０６は、電子楽器２０から信号の入力を行う。インタフェース１０６は、例えば、電子楽器２０から楽音を示す音信号の入力を受け付ける。インタフェース１０６は、従来品のミキサ又はアンプに搭載されたインタフェースと同じ構成でよい。放音制御部１０４は、メモリ１０２に記憶された制御データＣを読み出し、読み出した制御データＣを、入力された音信号に重畳（変調）する。重畳の方式は種々の方式を採用可能であるが、例えば、制御データＣを拡散符号で拡散し、人の耳に聞こえにくい１８〜２０ｋＨｚの周波数帯域まで周波数シフトし、入力された音信号と混合する方式を採用することができる。あるいは、公知のステガノグラフィ技術を用いて、入力された音信号を制御データＣに基づいて変調することで、音信号に制御データＣを埋め込む方式を採用してもよい。放音制御部１０４は、制御データＣを重畳した音信号を増幅した後、スピーカ１０８に出力する。スピーカ１０８は、入力された音信号が示す音を放音する。
【００２０】
電子楽器２０において収音部２０２は、マイクロフォン２０２２と、Ａ／Ｄ変換器２０２４とを含む。マイクロフォン２０２２は、収音し、その収音した音をアナログの音信号に変換する。Ａ／Ｄ変換器２０２４は、この音信号をアナログからデジタルに変換して、抽出部２０４に出力する。
【００２１】
抽出部２０４は、収音部２０２（Ａ／Ｄ変換器２０２４）から音信号が入力されると、その音信号に復調処理を施して、制御データＣを抽出（復調）する。抽出部２０４は、例えばデコーダを備え、この音信号から制御データＣに対応する成分を取り出す。
【００２２】
発音制御部２０６は、電子楽器２０の発音を制御する。発音制御部２０６は、例えば、演奏操作検出部２１４により検出された鍵２１６２の押鍵操作に応じて、音源２０８に発音させる。演奏操作検出部２１４は、複数の鍵２１６２の各々の押鍵操作を検出し、各鍵２１６２における操作状態に応じた信号を生成し、発音制御部２０６に出力する。生成される信号は、例えば、ＭＩＤＩ形式の信号である。この信号は、例えばノートオン又はノートオフ、どの鍵２１６２が操作されたかを示すキーナンバ、および押鍵速度に対応するベロシティの情報が含まれる。発音制御部２０６は、音源２０８に対し、メモリ２１０から読み出すべき波形データを指定する。音源２０８は、発音制御部２０６により指定された波形データをメモリ２１０から読み出して、楽音波形を示すデジタルの音信号を生成する。音源２０８は、生成した音信号をインタフェース２１２に出力する。インタフェース２１２は、入力された音信号を、放音装置１０へ出力する。これにより、放音装置１０から、電子楽器２０が発生させた音信号が示す音が放音される。放音装置１０と電子楽器２０とは有線または無線のどちらで接続されてもよい。なお、音源２０８は、電子楽器２０に内蔵されたスピーカ（図示略）に音信号を出力してもよい。
【００２３】
メモリ２１０は、複数の波形データを記憶したメモリである。メモリ２１０は、例えば、或る音色で発音するための波形データＡ１，Ａ２，・・・（以下、「波形データＡ」と総称する。）、およびこれとは別の音色で発音するための波形データＢ１，Ｂ２，・・・（以下、「波形データＢ」と総称する。）を記憶する。各波形データは、電子楽器２０の製造段階でメモリ２１０に記憶（つまりプリセット）されていてもよいし、可搬型の記憶媒体からのインストール、又はネットワークを通じたダウンロード等によってメモリ２１０に記憶されてもよい。メモリ２１０は、例えば、磁気記録媒体（磁気テープ、磁気ディスク等）、光記録媒体、光磁気記録媒体、半導体メモリ等の記憶媒体である。
【００２４】
発音制御部２０６は、メモリ２１０に記憶された複数の波形データのうち、少なくとも一部の波形データについては、制御データＣに従って使用が許可された期間にだけ、発音に用いる。発音に使用することが許可されていない波形データは、その波形データが記憶された記憶領域へのアクセスが禁止されることにより、読み出しができなくなっている。発音に使用することが許可されると、この記憶領域へのアクセスの禁止が解除される。
【００２５】
発音制御部２０６は、例えば、波形データＡに基づく発音が許可されている期間においては、波形データＡに基づく発音を許可する。具体的には、発音制御部２０６は、波形データＡの記憶領域へのアクセスの禁止を解除してから、波形データＡに基づく発音を指示する。発音制御部２０６は、これ以外の期間においては、波形データＡに基づく発音を許可しない。この場合、発音制御部２０６は、波形データＡの記憶領域へのアクセスを禁止したままにする。また、発音制御部２０６は、波形データＢに基づく発音が許可されている期間においては、波形データＢに基づく発音を許可する。具体的には、発音制御部２０６は、波形データＢの記憶領域へのアクセスの禁止を解除してから、波形データＢに基づく発音を指示する。発音制御部２０６は、これ以外の期間においては、波形データＢに基づく発音を許可しない。この場合、発音制御部２０６は、波形データＢの記憶領域へのアクセスを禁止したままにする。
【００２６】
実行部２２０は、操作パネル２１８からの操作信号に基づいて、操作子２１８２に対して行われた操作に応じた処理を実行する。実行部２２０が実行する処理として、メトロノーム音を発する処理、音量調整、各種情報の表示等がある。実行部２２０は、制御データＣが抽出されている期間においては、特定の操作に応じた処理の実行を制限する。処理の実行の制限は、例えば指示された処理の実行を禁止することであるが、指示された処理のうちの一部のみの実行禁止、又は他の処理への変更等でもよい。
【００２７】
インタフェース２２４は、外部装置と接続するインタフェースである。インタフェース２２４は、所定の規格（例えば、ＵＳＢ規格）に準拠したコネクタを有し、当該コネクタに接続された外部装置（例えば、可搬型の記憶媒体）との間で、データの入出力を行う。複製制御部２２２は、インタフェース２２４に接続された外部装置へのデータの複製を制御する。
【００２８】
複製制御部２２２は、制限部２２２２を含む。制限部２２２２は、メモリ２１０に記憶されている少なくとも一部の波形データの複製を制限する。具体的には、制限部２２２２は、制御データＣが抽出されている期間においては、その制御データＣに従って使用が許可された波形データの複製を制限する。複製の制限とは、例えば、指示された波形データの複製を禁止することである。
【００２９】
この実施形態において、抽出部２０４、発音制御部２０６、実行部２２０、および複製制御部２２２の各機能は、制御部２００により実現される。これらの機能は、例えば、制御部２００のプロセッサおよびプロセッサが実行するプログラムにより実現される。
【００３０】
２．動作
次に、電子楽器２０の動作を説明する。
【００３１】
２．１  発音に係る動作
図３は、電子楽器２０の発音に係る動作の一例を示すフローチャートである。例えば電子楽器２０の電源がオンされている期間において、図３に示す処理が実行される。ステップＳ１において、収音部２０２は収音を行う。ステップＳ２において、抽出部２０４は、収音部２０２が収音した音を示す音信号に対し復調処理を施して、制御データＣの抽出を試みる。
【００３２】
ステップＳ３において、発音制御部２０６は、抽出部２０４により制御データＣが抽出されたか否かを判断する。発音制御部２０６は、制御データＣが予め決められたデータ（パスワード）と一致するか否かを判断する。一致すると判断した場合は、発音制御部２０６は制御データＣが抽出されたと判断する。ここで、制御データＣが、波形データＡに基づく特定の音色の発音を許可するデータである場合を考える。この場合、発音制御部２０６は、ステップＳ３で「ＹＥＳ」と判断する。そして、ステップＳ４において、発音制御部２０６は、波形データＡに基づく発音を許可する。発音制御部２０６は、波形データＡの記憶領域へのアクセスの禁止を解除した後、ユーザの押鍵操作に応じて、メモリ２１０から波形データＡを読み出して発音するように、音源２０８に指示する。
【００３３】
そして、電子楽器２０の処理は、ステップＳ１に戻される。発音制御部２０６は、収音した音を示す音信号から、制御データＣが抽出されている期間においては、波形データＡに基づく発音を許可する。
【００３４】
ステップＳ２において、抽出部２０４が制御データＣを抽出しなくなったとする。例えば、放音装置１０の放音若しくは音信号への制御データＣの重畳が停止された場合、又は電子楽器２０が領域Ｓ外へ移動させられた場合、抽出部２０４は制御データＣを抽出しなくなる。この場合、発音制御部２０６は、ステップＳ３で「ＮＯ」と判断し、ステップＳ５に処理を進める。ステップＳ５において、発音制御部２０６は、波形データＡに基づく発音を制限する。この場合、発音制御部２０６は、波形データＡの記憶領域へのアクセスを禁止したままとする。そして、発音制御部２０６は、ユーザの鍵２１６２の押鍵操作が行われた場合であっても、波形データＡに基づく発音を音源２０８に指示しない。発音制御部２０６は、音源２０８の発音自体を禁止してもよいし、使用可能な別の音色で発音させてもよい。
【００３５】
そして、電子楽器２０の処理は、ステップＳ１に戻される。例えば、ステップＳ１で制御データＣが再び抽出されるようになった場合は、発音制御部２０６は、波形データＡに基づく特定の音色の発音を再び許可する。
【００３６】
以上説明したように、電子楽器２０は、特定の音色の発音を許可する制御データＣが抽出されている期間においては、この音色の発音を許可し、それ以外の期間においてはこの発音を制限する。よって、システム１によれば、放音装置１０の音が届く領域Ｓ内に電子楽器２０が存在することを条件に、その電子楽器２０に、制御データＣに従った特定の音色の発音を行わせることができる。
【００３７】
２．２  操作パネル２１８の操作に応じた処理の実行
図４は、電子楽器２０の操作パネル２１８の操作に応じた処理の実行に係る動作の一例を示すフローチャートである。図４の処理は、図３の処理が行われている期間に行われる。
【００３８】
ステップＳ１１において、実行部２２０は、操作パネル２１８の操作により処理の実行が指示されたか否かを判断する。この実施形態では、いずれかの操作子２１８２が操作されるまで、実行部２２０はステップＳ１１で「ＮＯ」と判断し、待機する。
【００３９】
いずれかの操作子２１８２が操作されると、実行部２２０はステップＳ１１で「ＹＥＳ」と判断する。そして、実行部２２０は、ステップＳ１２に処理を進める。
【００４０】
ステップＳ１２において、実行部２２０は、特定の操作によって指示された処理か否かを判断する。この処理は、例えば、演奏中の実行が制限されている処理である。領域Ｓで演奏が行われている場合に、メトロノーム音を発することが望ましくない場合がある。この場合、メトロノーム音を発する処理の実行が制限されるように、予め決められていればよい。
【００４１】
ステップＳ１２で「ＹＥＳ」と判断された場合、実行部２２０は、ステップＳ１３に処理を進める。ステップＳ１３において、実行部２２０は、抽出部２０４により制御データＣが抽出されたか否かを判断する。制御データＣが抽出されたと判断した場合（ステップＳ１３；ＹＥＳ）、実行部２２０はステップＳ１４に処理を進める。ステップＳ１４において、実行部２２０は指示された処理の実行を制限する。制御データＣが抽出されるのは、放音装置１０により放音されている期間である。これにより、例えば、演奏中に実行されるのがふさわしくない処理がユーザの誤操作によって演奏中に実行されてしまうのを回避することができる。
【００４２】
ステップＳ１３で「ＮＯ」と判断された場合、実行部２２０は、ステップＳ１５に処理を進める。ステップＳ１５において、実行部２２０は、指示された処理の実行を許可する。制御データＣが抽出されないのは、例えば放音装置１０により放音されていない期間である。よって、ユーザの誤操作によって演奏中に実行されてしまうことはない。
【００４３】
ステップＳ１２で「ＮＯ」と判断された場合、実行部２２０はステップＳ１５に処理を進める。ステップＳ１５において、実行部２２０は、指示された処理の実行を許可する。実行が制限されていない処理については、実行部２２０はその処理を実行する。
【００４４】
システム１によれば、電子楽器２０が領域Ｓ内に存在し、且つ放音装置１０によって所定の制御データＣが重畳された音が放音されている期間において、ユーザの誤操作による処理が実行されるのを回避することができる。
【００４５】
２．３  データの複製
図５は、電子楽器２０のデータの複製に係る動作の一例を示すフローチャートである。図５の処理は、図３の処理が行われている期間に行われる。
【００４６】
ステップＳ２１において、制限部２２２２は、データの複製が要求されたか否かを判断する。制限部２２２２は、例えば、インタフェース２２４に接続された外部装置からの信号に応じて、この要求がなされたか否かを判断する。データの複製が要求されるまで、制限部２２２２はステップＳ２１で「ＮＯ」と判断し、待機する。データの複製が要求されると、制限部２２２２はステップＳ２１で「ＹＥＳ」と判断し、ステップＳ２２に処理を進める。
【００４７】
ステップＳ２２において、制限部２２２２は、複製が要求されたデータが、特定の音色に対応する波形データであるか否かを判断する（ステップＳ２２）。この波形データは、例えば、制御データＣに従って発音に使用することが許可される波形データである。
【００４８】
ステップＳ２２で「ＹＥＳ」と判断した場合、制限部２２２２は、ステップＳ２３に処理を進める。ステップＳ２３において、制限部２２２２は、抽出部２０４により制御データＣが抽出されたか否かを判断する。制御データＣが抽出されたと判断した場合（ステップＳ２３；ＹＥＳ）、制限部２２２２はステップＳ２４に処理を進める。ステップＳ２４において、制限部２２２２は、複製が要求された波形データの複製を制限する。つまり、制限部２２２２は、制御データＣに従い或る波形データの記憶領域へのアクセスの禁止が解除された場合でも、その波形データの複製については制限する。これにより、制御データＣに従って使用が許可された波形データの複製を回避することができる。
【００４９】
ステップＳ２３で「ＮＯ」と判断された場合、制限部２２２２はステップＳ２５に処理を進める。ステップＳ２５においては、制限部２２２２は、複製が要求された波形データの複製を制限しない。ただし、制御データＣに従い使用が許可されていない波形データの記憶領域へのアクセスは禁止されている。よって、このような波形データが外部装置へ複製されてしまうのを回避することができる。
【００５０】
ステップＳ２２で「ＮＯ」と判断された場合も、制限部２２２２は、ステップＳ２５に処理を進める。ステップＳ２５において、制限部２２２２は、複製が要求されたデータの複製を制限しない。普段から使用が許可されているデータについては、外部装置へ複製して差し支えないからである。
【００５１】
システム１によれば、領域Ｓ内で発音に使用することが許可される波形データが、外部装置に複製されて、意図しない場所やタイミングに使用されてしまうのを回避することができる。
【００５２】
３．変形例
上述した実施形態は、互いに組み合わせたり、置換したりして適用することが可能である。また、上述した実施形態では、以下の通り変形して実施することも可能である。
【００５３】
（１）発音制御部２０６は、制御データＣが抽出されている期間においては、該制御データＣに基づいて発音が許可された特定の音色を除いた他の音色が発音されないように、他の音色の発音を制限してもよい。許可された音色以外の音色の発音を制限することにより、演奏中に所望の音色ではない音色が誤って発音されてしまうことを防止することができる。
【００５４】
図６は、この変形例の電子楽器２０の発音に係る動作の一例を示すフローチャートである。ステップＳ１〜Ｓ３の各ステップの処理は、上述した実施形態と同じでよい。
【００５５】
ステップＳ２において、波形データＡに基づく特定の音色の発音を許可する制御データＣが抽出された場合を考える。この場合、発音制御部２０６は、ステップＳ３で「ＹＥＳ」と判断し、ステップＳ６に処理を進める。ステップＳ６において、発音制御部２０６は、制御データＣに従って、特定の音色以外の音色の発音を制限する。ここでは、発音制御部２０６は、波形データＡに基づく特定の音色の発音以外の発音を制限する。発音を制限した音色の発音がユーザにより指示された場合は、発音制御部２０６は、音源２０８の発音自体を禁止してもよいし、使用可能な別の音色の発音で発音させてもよい。そして、電子楽器２０の処理は、ステップＳ１に戻される。
【００５６】
一方、波形データＡに基づく特定の音色の発音を許可する制御データＣが抽出されていない場合、発音制御部２０６は、ステップＳ３で「ＮＯ」と判断し、ステップＳ５に処理を進める。ステップＳ５において、発音制御部２０６は、波形データＡに基づく特定の音色の発音を制限する。そして、電子楽器２０の処理は、ステップＳ１に戻される。
【００５７】
（２）特定の音色で発音をする場合、音源が、特定の音色を示す音色パラメータに基づいて発音用の音信号を生成する場合もある。例えばＦＭ方式などの音源では、波形データを予めサンプリングして用意することなく、ＦＭ方式用の特定の音色パラメータに基づいた数値演算をすることによって音信号が生成される。そこで、発音制御部２０６は、制御データＣが抽出されている期間においては、音源２０８に対し、特定の音色パラメータが示す音色の発音を許可してもよい。あるいは、波形データを音色パラメータに基づいて加工して発音させる音源において、波形データが特別なものでなく、音色パラメータが特定のもので価値のある場合にも、発音制御部２０６は、特定の音色パラメータを用いる音色の発音を制御するようにしてもよい。
【００５８】
図７は、この変形例における放音装置１０、および電子楽器２０の具体的構成を例示するブロック図である。メモリ２１０は、或る音色を示す音色パラメータＰ１、およびこれとは別の音色を示す音色パラメータＰ２を記憶する。発音に使用することが許可されていない音色パラメータは、その音色パラメータが記憶された記憶領域へのアクセスが禁止されることにより、読み出しができなくなっている。発音に使用することが許可されると、この記憶領域へのアクセスの禁止が解除される。
【００５９】
発音制御部２０６は、制御データＣが抽出されている期間においては、特定の音色パラメータが示す音色の発音を許可し、それ以外の期間においては、この音色パラメータが示す音色の発音を制限する。
【００６０】
さらに、制限部２２２２は、抽出部２０４により制御データＣが抽出されている期間においては、音色パラメータの複製を制限してもよい。
【００６１】
図８は、この変形例における電子楽器２０のデータの複製に係る動作の一例を示すフローチャートである。制限部２２２２は、ステップＳ２１で「ＹＥＳ」と判断すると、ステップＳ２６に処理を進める。ステップＳ２６において、制限部２２２２は、複製が要求されたデータが、特定の音色を示す音色パラメータであるか否かを判断する。ステップＳ２６で「ＹＥＳ」と判断された場合、制限部２２２２はステップＳ２３に処理を進める。ステップＳ２３において、制限部２２２２は、抽出部２０４により制御データＣが抽出されたか否かを判断する。ここで、制御データＣが、音色パラメータＰ１が示す音色の発音を許可する制御データである場合を考える。制御データＣが抽出されたと判断した場合（ステップＳ２３；ＹＥＳ）、制限部２２２２はステップＳ２７に処理を進める。ステップＳ２７において、制限部２２２２は、複製が要求された音色パラメータＰ１の複製を制限する。つまり、制限部２２２２は、制御データＣに従い音色パラメータＰ１の記憶領域へのアクセスが許可された場合でも、その音色パラメータの複製については制限する。これにより、制御データＣに従って使用が許可された音色パラメータが、外部装置へ複製されてしまうのを回避することができる。
【００６２】
ステップＳ２３で「ＮＯ」と判断された場合、制限部２２２２はステップＳ２８に処理を進める。ステップＳ２８において、制限部２２２２は、複製が要求された音色パラメータＰ１の複製を制限しない。ただし、音色パラメータＰ１の記憶領域へのアクセスは禁止されている。よって、音色パラメータＰ１が外部装置へ複製されてしまうのを回避することができる。
【００６３】
ステップＳ２６で「ＮＯ」と判断された場合、制限部２２２２はステップＳ２８に処理を進める。ステップＳ２８において、制限部２２２２は、複製が要求されたデータの複製を制限しない。
【００６４】
（３）放音装置１０は、特定の音色で発音するための波形データを音信号に重畳し、この音信号が示す音を放音してもよい。電子楽器２０は、収音により得た音信号から波形データを抽出し、この波形データを用いて特定の音色の発音をする。
【００６５】
（４）制御データＣに従って使用が許可される波形データは、電子楽器２０の揮発性のメモリに記憶されてもよい。これにより、電子楽器２０の電源がオフされる等して、メモリへの電力の供給が停止させられると、この波形データは消去される。よって、この波形データが領域Ｓ外で使用されるのを回避できる。
【００６６】
（５）上述した実施形態では、制御データＣは、特定の音色の発音の可否を制御する「発音制御用」、特定の操作に応じた処理の実行の制限の有無を制御する「処理制御用」、および特定の音色の波形データの複製の制限の有無を制御する「複製制御用」として用いられていた。これに代えて、図９に示すように、制御データＣに、発音制御用の発音制御データと、処理制御用の処理制御データと、複製制御用の複製制御データとが独立に含まれていてもよい。これにより、発音制御、処理制御、および複製制御の内容を個別に設定可能となる。
【００６７】
（６）上述した実施形態で説明した放音装置１０、および電子楽器２０の構成は例示に過ぎず、必要に応じて変更、又は省略されてもよい。例えば、電子楽器２０は、制御データＣに応じた処理制御、および複製制御の少なくとも一方を行わなくてもよい。また、各フローチャートを用いて説明した処理の順番は、適宜変更されてもよい。
【００６８】
（７）本発明の電子楽器は、電子鍵盤楽器の形態に限られず、弦楽器、管楽器、打楽器等の形態であってもよい。また、電子楽器２０に内蔵されていた機能の一部を、別体の装置として実装することも可能である。例えば、マイクロフォン２０２２は、電子楽器２０に対して着脱可能であってもよい。
【００６９】
（８）電子楽器２０の機能がプログラムを用いて実現される場合、このプログラムは、磁気記録媒体（磁気テープ、磁気ディスク等）、光記録媒体、光磁気記録媒体、半導体メモリ等のコンピュータ読み取り可能な記録媒体に記憶した状態で提供されてもよいし、ネットワークを介して配信されてもよい。また、本発明は、電子楽器の制御方法として把握することも可能である。
【符号の説明】
【００７０】
１…システム、１０…放音装置、１０２…メモリ、１０４…放音制御部、１０６…インタフェース、１０８…スピーカ、２０…電子楽器、２００…制御部、２０２…収音部、２０２２…マイクロフォン、２０２４…Ａ／Ｄ変換器、２０４…抽出部、２０６…発音制御部、２０８…音源、２１０…メモリ、２１２…インタフェース、２１４…演奏操作検出部、２１６…演奏操作部、２１６２…鍵、２１８…操作パネル、２１８２…操作子、２２０…実行部、２２２…複製制御部、２２２２…制限部、２２４…インタフェース。
【図１】
2018159894.tif 000003
【図２】
2018159894.tif 000004
【図３】
2018159894.tif 000005
【図４】
2018159894.tif 000006
【図５】
2018159894.tif 000007
【図６】
2018159894.tif 000008
【図７】
2018159894.tif 000009
【図８】
2018159894.tif 000010
【図９】
2018159894.tif 000011